(57)【要約】【課題】排熱回収ボイラにおいては、出口排ガス温度を酸露点温度以上としなければならないため、排ガスから回収できる熱量に上限があり、そのため、発生できるボイラ蒸気量も上限があった。【解決手段】蒸気タービン復水１４を排熱回収ボイラ３の給水とする際に、従来技術通り直接、排熱回収ボイラ３の節炭器２０へ供給する系統と、ヒートポンプ１１により加温してから供給する系統とに分け、そのために必要な給水配管を新たに設ける。復水器出口冷却水の持つ熱エネルギーをヒートポンプ１１で汲み上げ、その熱エネルギーにより復水１４の一部を９０℃程度にまで加温し、排熱回収ボイラ３給水入口において、残りの復水と混合させることで、排熱回収ボイラ３への給水温度を上げ、結果としてボイラ蒸気量を増やすための不足熱量を補う。【選択図】図１
2007205187.tif 000002
【特許請求の範囲】
【請求項１】
排熱回収ボイラ、排熱回収ボイラからの蒸気を動力源とする蒸気タービン、蒸気タービンにて仕事をした蒸気を凝縮するための復水器、復水器から排熱回収ボイラに復水を循環させる復水循環系統および復水器に冷却水を供給する冷却水供給システムを備えたボイラ−蒸気タービンシステムに付属させる熱回収システムにおいて、
前記冷却水供給システムからの冷却水を導く配管に接続され、前記復水循環系統から分岐バルブを介して分岐した配管に接続されたヒートポンプを備え、
該ヒートポンプで昇温された復水を前記復水循環系統からの復水と混合してボイラ水を形成し、前記節炭器に導入される前記混合されたボイラ水の温度を制御する制御装置を設けたこと
を特徴とするボイラ−蒸気タービンシステムに付属させる熱回収システム。
【請求項２】
排熱回収ボイラ、排熱回収ボイラからの蒸気を動力源とする蒸気タービン、蒸気タービンにて仕事をした蒸気を凝縮するための復水器、復水器から排熱回収ボイラに復水を循環させる復水循環系統および復水器に冷却水を供給する冷却水供給システムを備えたボイラ−蒸気タービンシステムに付属させる熱回収システムにおいて、
前記冷却水供給システムからの冷却水を導く配管に接続され、前記復水循環系統から分岐バルブを介して分岐した配管に接続されたヒートポンプを備え、
該ヒートポンプで昇温された復水を前記復水循環系統からの復水ならびに前記排熱回収ボイラのボイラ水循環系統によって循環されて節炭器外に導出されるボイラ水と混合してボイラ水を形成し、前記節炭器に導入される前記混合されたボイラ水の温度を制御する制御装置を設けたこと
を特徴とするボイラ−蒸気タービンシステムに付属させる熱回収システム。
【請求項３】
請求項２において、前記節炭器に導入される排熱ガスのガス温度を測定する温度計を備え、前記制御装置は、少なくとも前記温度計からの温度信号を入力し、前記復水循環系統から分岐される復水の循環量または前記ボイラ水循環系統によって循環されて節炭器外に導出されるボイラ水の水量を制御することを特徴とするボイラ−蒸気タービンシステムに付属させる熱回収システム。
【請求項４】
請求項３において、前記制御装置は、前記復水循環系統に設けた復水循環温度計からの温度信号入力し、前記復水の循環系統から分岐される復水の循環量または前記ボイラ水循環系統によって循環されて節炭器外に導出されるボイラ水の水量を制御することを特徴とするボイラ−蒸気タービンシステムに付属される熱回収システム。
【請求項５】
請求項３または４において、前記制御装置は、節炭器外に導出されるボイラ水の水量の制御を分岐される復水の循環量の制御に優先して行うことを特徴とするボイラ−蒸気タービンシステムに付属させる熱回収システム。
【発明の詳細な説明】
【技術分野】
【０００１】
本発明は、ヒートポンプで熱交換された温水を排熱回収ボイラの給水として利用する熱回収システムに関するものであり、詳細には火力発電設備の１つであるコンバインドシステム（ボイラ−蒸気タービンシステム）における蒸気タービン復水を、ヒートポンプで加温してから排熱回収ボイラへ供給する熱回収システムに関する。
【背景技術】
【０００２】
ボイラ等の蒸気発生装置からの蒸気で仕事をする蒸気タービンの排気蒸気を凝縮するための復水器においては、復水器を冷却する冷却水の温度が一般に30℃〜40℃程度と低いため、一般的に未利用のまま排出されている。この低温の復水器出口冷却水を有効に活用する方法として、ヒートポンプの利用が考えられている。
【０００３】
例えば、復水器出口冷却水等の低温熱源からヒートポンプで熱を汲み上げ、その熱を利用する特許文献１で知られている従来技術がある。
【０００４】
特許文献２には、ボイラに対する給水加熱を行う給水加熱手段として蒸気圧縮ヒートポンプを備えたものが記載されている。
【０００５】
特許文献３には、吸収式ヒートポンプ装置を使用する例が記載されている。
従来の排熱回収ボイラでは、出口排ガス温度を酸露点温度以上とするため、排熱回収ボイラへの給水を予熱する特許文献２で知られるような技術が用いられている。
【０００６】
吸収式ヒートポンプは従来技術で良く知られているように、低温熱源から熱を効率良く汲み上げ、高温熱源を加温する仕組みだが、それにより発生させられる高温熱源の温度は現在の技術では90℃程度までであり、その利用先が限定される。復水器を冷却する冷却水には、一般的に冷却塔の水や海水が用いられ、その温度は一定に制御されることが望ましい。その制御法には種々の方法があるが、これを一定の温度に制御することができれば、ヒートポンプの低温熱源として利用することが可能である。ヒートポンプによって熱交換した流体の利用先としては、生成した温水をプロセス蒸気の予熱として利用することで、ボイラだけで加熱する場合に比べて、燃料使用量を減らすことができることから省エネルギーへの寄与が可能である。
【０００７】
一方、排熱回収ボイラはガスタービンの排熱を利用して、蒸気を発生し、蒸気タービンへ供給する従来の設備であり、排熱回収ボイラの伝熱面積を増加させれば、排ガスの回収熱量を大きくすることができ、発生蒸気量を増加させることができる。しかしながら、排熱回収ボイラの出口排ガス温度は、排ガス中に硫黄分を含む場合は、酸露点温度以上とする必要があり、また、硫黄分を含まない場合でも、排ガス中の水分結露による白煙防止の観点等から一般的に最低でも90℃程度に設定される。
【０００８】
従来、排熱回収ボイラにおいて、前記排ガス温度は酸露点温度以上であれば良く、その目的以外に、給水を加温することは実施されていなかった。すなわち、排熱回収ボイラへの給水加熱のためにヒートポンプを導入することも実施されていなかった。
【０００９】
また、従来の排熱回収ボイラでは、前記のように出口排ガス温度に下限値が存在するため、排熱回収ボイラによる回収熱量に上限があった。そのため、排熱回収ボイラの伝熱面積をある決まった上限値以上に増やすことはできず、発生するボイラ蒸気量にも上限があった。
【００１０】
【特許文献１】特開平６−１２９２１１号公報
【特許文献２】特開平１１−１７３１１０号公報
【特許文献３】特開平５−２６３６１０号公報
【特許文献４】特開２０００−４５７１３号公報
【発明の開示】
【発明が解決しようとする課題】
【００１１】
以上のように、排熱回収ボイラにおいては、その出口排ガス温度を酸露点温度以上とする必要があり、排熱回収ボイラによる回収熱量に上限があることから、発生するボイラ蒸気量にも上限があった。また、復水器出口冷却水はその温度が低く、その持っている熱量の有効利用がなされていなかった。
【００１２】
本発明は、ボイラ−蒸気タービンシステムにおいて、ヒートポンプを導入することによって復水器を導出した冷却水が持つ熱エネルギーを有効に活用して排熱回収ボイラによる発生蒸気量を増加させると共に、酸露点温度以上に温度コントロールの可能な熱回収システムを提供することを目的とする。
【課題を解決するための手段】
【００１３】
本発明での熱回収システムでは、排熱回収ボイラ、及び排熱回収ボイラからの蒸気を利用する蒸気タービン、蒸気タービンにて仕事をした蒸気を凝縮するための復水器、前記復水器及びプラント補機熱交換器に供給する冷却水システムを備えたボイラ給水システムにおいて、復水の一部をヒートポンプで熱交換するための配管及び、ヒートポンプの低温熱源として復水器出口冷却水を利用する配管を設ける。ヒートポンプにより復水器出口冷却水から熱を汲み上げ、90℃程度まで加温した復水を前記排熱回収ボイラへ給水する。ヒートポンプで加温しない比較的低温（一般に60℃程度）の復水は、排熱回収ボイラ節炭器へ復水ポンプを介して直接給水する。
【００１４】
このとき、２つの異なる配管からの給水はヒートポンプによる加温の有無により温度が異なるが、これを排熱回収ボイラ給水入口において混合することで、結果的に排熱回収ボイラへの給水温度を上昇させる。
【００１５】
本発明は、ボイラ発生蒸気量を増やすためにヒートポンプを使用して排熱回収ボイラへの給水温度を上昇させる。その方法には、排熱回収ボイラへ給水する蒸気タービン復水の全流量の温度を少し上昇させる方法と、蒸気タービン復水の一部を高温に加温し、残りの給水と混合させ、結果的に全流量の温度を上昇させる方法が考えられるが、後者の方が経済的な面からも熱エネルギー活用の面からも効率が良い。
【００１６】
蒸気タービン復水のうち、ヒートポンプにより加温するための給水量と、直接排熱回収ボイラへ給水する流量との配分は、排熱回収ボイラにおいてガスタービン排熱を極限まで回収する前提を基に、増加させたい発生蒸気量から求めるものとする。
【００１７】
本発明は、排熱回収ボイラ、排熱回収ボイラからの蒸気を動力源とする蒸気タービン、蒸気タービンにて仕事をした蒸気を凝縮するための復水器、復水器から排熱回収ボイラに復水を循環させる復水循環系統および復水器に冷却水を供給する冷却水供給システムを備えたボイラ−蒸気タービンシステムに付属させる熱回収システムにおいて、
前記冷却水供給システムからの冷却水を導く配管に接続され、前記復水循環系統から分岐バルブを介して分岐した配管に接続されたヒートポンプを備え、
該ヒートポンプで昇温された復水を前記復水循環系統からの復水と混合してボイラ水を形成し、前記節炭器に導入される前記混合されたボイラ水の温度を制御する制御装置を設けたこと
を特徴とするボイラ−蒸気タービンシステムに付属させる熱回収システムを提供する。
【発明の効果】
【００１８】
本発明によれば、ボイラ−蒸気タービンシステムにおいて、上述したヒートポンプを導入することによって、復水器を導入した冷却水が持つ熱エネルギーを有効に活用して排熱回収ボイラによる発生蒸気量を増加させると共に、酸露点温度以上に温度コントロールの可能な熱回収システムを提供することができる。
【発明を実施するための最良の形態】
【００１９】
本発明の実施例である熱回収システムは、排熱回収ボイラ、排熱回収ボイラからの蒸気を動力源とする蒸気タービン、蒸気タービンにて仕事をした蒸気を凝縮するための復水器、復水器から排熱回収ボイラに復水を循環させる復水循環系統および復水器に冷却水を供給する冷却水供給システムを備えたボイラ−蒸気タービンシステムに付属させる熱回収システムであって、
前記冷却水供給システムからの冷却水を導く配管に接続され、前記復水循環系統から分岐バルブを介して分岐した配管に接続されたヒートポンプを備え、
該ヒートポンプで昇温された復水を前記復水循環系統からの復水ならびに前記排熱回収ボイラのボイラ水循環系統によって循環されて節炭器外に導出されるボイラ水と混合してボイラ水を形成し、前記節炭器に導入される前記混合されたボイラ水の温度を制御する制御装置を設けたことによって構成される。
【００２０】
以下、本発明の実施例を図面に基づいて説明する。
【実施例１】
【００２１】
以下に、本発明の第１の実施例を図１乃至図５に基づいて説明する。本実施例である熱回収システム１００は、コンバインドサイクル、すなわちボイラ−蒸気タービンシステムに付属される。
【００２２】
図１において、ガスタービン１には燃料が供給され、ガスタービン１により駆動する発電機２により発電が行われる。ガスタービン１からの排熱ガスは排熱回収ボイラ３へ送られ、熱エネルギー回収される。排熱回収ボイラ３で給水と熱交換した後の排ガスは煙突１２から大気中に排出される。排熱回収ボイラ３で熱交換を行い、発生した蒸気は動力源として蒸気タービン４へ送られる。蒸気タービン４により駆動する発電機５で仕事をした蒸気は復水器６で冷却され、復水ポンプ９を介して排熱回収ボイラ３へ給水される。本実施例では、復水器６と排熱回収ボイラ３における系統を復水循環系統１４と称する。
【００２３】
復水器６での回収熱量を有効にエネルギー回収するため、低温熱源の熱を効率的に汲み上げ、高温・高圧に圧縮し、高温熱源を温めるヒートポンプ１１を、復水器出口側及び排熱回収ボイラ入口側に設ける。すなわち復水循環系統１４に三方弁（分岐バルブ）１０を設け、この三方弁１０を介して分岐した配管１８をヒートポンプ１１に接続し、ヒートポンプ１１から導出した配管Ｅ１９を排熱回収ボイラ３の入口側に接続する。
【００２４】
ヒートポンプ１１の低温熱源としては、一般的に冷却塔７の水や図示しない海水が用いられる復水器出口冷却水配管１３の復水器出口冷却水（一般的に30℃から40℃程度）を用いるとするが、それに伴い、復水器出口冷却水配管１３の復水器出口冷却水がヒートポンプ１１を介して熱量を与え、ドレンとなって冷却塔７に戻るための配管A１５、配管B１６を設ける。
【００２５】
また、復水循環系統１４を流れる復水を排熱回収ボイラ３へ給水する際に、復水の一部を分岐して、ヒートポンプ１１で回収した熱量により加温する。そのために必要な配管、すなわち復水を直接、排熱回収ボイラ３へ供給するための給水管Ｃ１７の他に、新たに復水をヒートポンプの高温熱源として送る配管Ｄ１８、及び高温となった前記復水を排熱回収ボイラ３へ供給するための配管Ｅ１９を設置する。
【００２６】
図２は、本発明の実施例を詳細に示す。排熱回収ボイラ３は、煙道４０内に節炭器２０を備え、入口側が復水循環系統１４に接続され、出口側が水位調節２１を介してボイラドラム２２に接続されたボイラ配管４１が設けられる。節炭器２０の循環水入口側、すなわち排ガス２４の出口側には温度計２５が設けてあって、排ガスの出口側温度を計測して、温度信号を生成することができる。
【００２７】
温度計２５が生成された温度信号は制御装置２６に入力される。
【００２８】
制御装置２６は、温度計２５からの温度信号を用いて配管F２３、すなわちボイラ水循環系統に設けた制御弁３１を用いてボイラ水の循環量の制御を行う。また、制御装置２６は、ボイラ水の循環量の制御と三方弁１０による復水の分岐分配量の制御を行う。ボイラ−蒸気タービンシステムが系統安定すれば制御弁３１，三方弁１０は一定量制御となる。復水循環系統１４に復水の温度計４２を設けてこの温度計４２で生成された温度信号を制御装置２６において、温度計２５からの温度信号とを合わせて制御弁３１、三方弁１０の制御を行うようにしてもよい。いずれにしても、節炭器２０の入口における復水の温度を結露を考慮した所定の温度に制御することが重要である。ここでは、節炭器２０に導入されるまでの循環水を復水と称し、排熱回収ボイラ３、すなわち節炭器２０を流過する循環水をボイラ水と称する。従って、節炭器２０に導入されてボイラ水となる循環水は、復水循環系統１４を流れる復水、ヒートポンプ１１で昇温された昇温復水および循環して節炭器２０の系外に導入されたボイラ水（ボイラ水の一部）との混合によって形成される。
【００２９】
このように、ヒートポンプ１１で昇温された復水を復水循環系統１４からの復水ならびに排熱回収ボイラ３のボイラ水循環系統によって循環されて節炭器外に導出されるボイラ水と混合してボイラ水を形成し、節炭器２０に導入される混合されたボイラ水の温度を制御する制御装置が設けられる。
【００３０】
制御装置２６は、少なくとも温度計２５からの温度信号を入力し、復水循環系統１４から分岐される復水の循環量またはボイラ水循環系統によって循環されて節炭器外に導出されるボイラ水の水量を制御することを行う。
【００３１】
また、制御装置２６は、復水循環系統１４に設けた復水循環温度計２７からの温度信号を入力し、復水循環系統１４から分岐される復水の循環量またはボイラ水循環系統によって循環されて節炭器外に導出されるボイラ水の水量を制御することを行う。
【００３２】
また、制御装置２６は、節炭器外に導出されるボイラ水の水量の制御を分岐される復水の循環量の制御に優先して行うことができる。
【００３３】
図２において、ヒートポンプ１１では、復水器出口冷却水配管１３からの復水器出口冷却水から熱が汲み上げられ、ヒートポンプ１１により復水１４の一部を９０℃程度まで昇温して高温水とし、排熱回収ボイラ３への給水として利用する。排熱回収ボイラ３内では、ガスタービンの排ガス２４と復水循環系統１４の復水が熱交換され、蒸気を発生させる。この発生蒸気には、ボイラドラム２２を介して蒸気タービンへ送る系統と分岐して、再度排熱回収ボイラ入口へ送る循環水配管F２３が設けられており、ボイラ水循環系統（すなわち、排熱回収ボイラ循環水系統）が形成されている。
【００３４】
復水器６より直接給水される復水循環系統からの復水と、ヒートポンプ１１により加温された配管Ｅ１９からの復水は、節炭器２０入口で混合され、排熱回収ボイラ３のボイラ水として節炭器２０へ給水される。この給水されるボイラ水は、一部がヒートポンプ１１により加温されているので、復水器６出口温度よりも温度が高い状態となっている。節炭器２０へ給水されたボイラ水は、排熱回収ボイラ３内で排ガス２４と熱交換し、ボイラ蒸気となって蒸気タービン４へ送られる。
【００３５】
一方、排熱回収ボイラ３は、その入口排ガス温度と排ガス流量がガスタービン１に依存し、また出口排ガス温度は腐食防止等の理由から酸露点温度以上としなければならないので、排ガス２４から回収できる熱量は仕様で決まる。
【００３６】
また、排熱回収ボイラ３においては、排ガス２４から回収した熱量が、給水されたボイラ水に与えられ、蒸気を発生させるが、図３のように、排ガス２４から回収した熱量Q１は計算により求めることができるので、発生させる蒸気の温度T2を決めれば、発生蒸気量を求めることができる。
【００３７】
蒸気量を増やす場合に、排ガスから回収する熱量Q1と、増加させる蒸気量から求められる、蒸気発生に必要な熱量Q2との差をヒートポンプ１１により与える熱量で補うようにする。すなわち、節炭器２０の入口での給水温度をT1からT3へ上げることで、Q1とQ2の熱量差の不足分を補うことができる。従来はQ2の熱量をガスタービン１から排ガスによって供給していたが、ガスタービン１からの供給熱量はQ1で済む。ヒートポンプ１１により加温する復水の流量は、予め熱量バランスから計算によって求めておく。
【００３８】
図４に示すように、給水温度をT3になるように制御して、排熱回収ボイラ３内の温度を一点鎖線になるように制御することも出来る。
【００３９】
また、ヒートポンプ１１の低温熱源となる復水器出口冷却水の温度は、大気温度により温度が異なるので、図５で示すように、大気温度毎にヒートポンプ１１への給水流量を決める関数を決めておくと、より精度が高まる。
【００４０】
図５は排熱回収ボイラへ給水する復水循環系統１４からの復水の流量と、ヒートポンプ１１で加温してから給水（昇温復水）する流量との関係を表す関数の例である。この関数は、排熱回収ボイラ３での熱回収が最大となるように決めておき、それに基づいてヒートポンプ１１への高温熱源としての復水流量を決める。なお、図５の横軸の排熱回収ボイラ給水量（ボイラ水）は、これ以外にもガスタービン負荷、蒸気タービン負荷、プラント負荷等との関数を決めることも可能である。
【００４１】
温度計２５で生成した温度信号を用いて、出口温度が酸露点以下とならないよう監視すると共に、酸露点以下となった場合に復水循環系統１４の復水を直接排熱回収ボイラ３給水側とヒートポンプ１１給水側への流量の配分を制御するようにすることができる。
【００４２】
本実施例によれば、排熱回収ボイラ給水をヒートポンプによる回収熱量で予熱することで、伝熱面積をある決まった上限値以上に増やすことはできず、発生するボイラ蒸気量にも上限があった排熱回収ボイラにおいても、発生蒸気量を増やすことが可能となる。
【００４３】
図３及び図４は本実施例により得られる効果を表したものである。
【００４４】
図３において、排熱回収ボイラの入口排ガス温度、及び排ガス流量はガスタービンに依存するものであり、また出口排ガス温度は前記のように酸露点温度以上としなければならないため、排ガスから回収できる熱量はQ1として求められる。一方、排熱回収ボイラにT1℃で給水された復水は、排熱回収ボイラを節炭器、蒸発器、過熱器の順に送られ、排ガスから回収した熱量Q1を受け取りT2℃の蒸気となる。図３における破線はこれらの、排ガス、給水の温度変化を示している。
【００４５】
一方、図３において、ボイラの発生蒸気量を増やした場合の温度変化を実線で示している。ボイラ発生蒸気量を増やすために必要な熱量はQ2となるが、排ガスから回収する熱量Q1は変わらないため、Q2-Q1分の熱量が不足する。本実施例ではこの不足した熱量をヒートポンプに得られた熱量によって補う。
【００４６】
すなわち、図４においてT1℃で給水されていた復水の温度をＴ3℃まで上げることにより、給水温度は一点鎖線のような温度変化をたどり、ボイラ発生蒸気量が増えた場合の不足熱量が、ヒートポンプにより回収された熱量で補われるのである。
また、もう一つの効果として、本発明のように熱回収システムを構成することで、従来は低温であったため、未利用のまま排出されていた復水器出口冷却水を、ヒートポンプで効率的に熱を汲み上げ、その汲み上げた熱エネルギーを有効に活用することができる。
【実施例２】
【００４７】
本発明の第２の実施例を図１の系統図及び図６に基づいて説明する。
【００４８】
第１の実施例と同様に、ガスタービン１、発電機２、排熱回収ボイラ３、蒸気タービン４、蒸気タービンで駆動する発電機５、復水器６、及び蒸気タービン復水を排熱回収ボイラ３へ給水するための復水ポンプ９等の冷却水循環系統を有するコンバインドサイクル（ボイラー蒸気タービンシステム）において、復水器出口冷却水配管１３の復水器出口冷却水の熱エネルギーを汲み上げるヒートポンプ１１、及び復水器出口冷却水がヒートポンプ１１を介して熱量を与え、ドレンとなって冷却塔７に戻るための配管A１５、配管B１６を設ける。
【００４９】
ここで第１の実施例と同様に、復水循環系統１４の復水を排熱回収ボイラ３へボイラ水として給水する際に、復水の一部を、ヒートポンプ１１で回収した熱量により加温する。そのために必要な配管、すなわち復水１４を排熱回収ボイラ３へ直接供給するための給水管Ｃ１７の他に、新たに復水循環系統１４の復水をヒートポンプの高温熱源として送る配管Ｄ１８、及び高温となった復水循環系統１４の復水を排熱回収ボイラ３へ供給するための給水管Ｅ１９を設置する。
【００５０】
図６は、ヒートポンプ１１により与えられる熱量の利用先を示した例である。排熱回収ボイラ３において、伝熱管の伝熱面積を大きくし、排ガス温度と給水出口温度との温度差を狭くする、すなわち温度差をｔ1℃からｔ2℃とすると、排熱回収ボイラ３への給水の温度変化は実線のようになる。この場合にも、蒸気を発生するのに必要な熱量Q3と比べて、排ガスから回収する熱量Q1が小さいため、熱量が不足する。ヒートポンプ１１の導入により、未利用となっている熱量を効率良く汲み上げ、この熱量の不足分を補うことが可能となる。
【図面の簡単な説明】
【００５１】
【図１】本発明の実施形態を示す概略系統図である。
【図２】本発明の実施形態を示す構成図である。
【図３】本発明の実施形態を示す排熱回収ボイラの特性図である。
【図４】本発明の実施形態を示す排熱回収ボイラの特性図である。
【図５】本発明の実施形態を示す給水流量決定のための特性図である。
【図６】本発明の実施形態を示す排熱回収ボイラの特性図である。
【符号の説明】
【００５２】
１…ガスタービン、２…発電機、３…排熱回収ボイラ、４…蒸気タービン、５…発電機、６…復水器、７…冷却塔、８…給水ポンプ、９…復水ポンプ、１０…三方弁、１１…ヒートポンプ、１２…煙突、１３…復水器出口冷却水配管、１４…復水循環系統、１５…配管A、１６…配管B、１７…配管C、１８…配管D、１９…配管E、２０…節炭器、２１…水位調節弁、２２…低圧ドラム、２３…配管F、２４…排ガス、２５…温度計、２６…制御装置、２７…蒸発器、２８…過熱器、３１…制御弁、４０…煙道、４１…ボイラ配管、４２…温度計、１００…熱回収システム。
【図１】
2007205187.tif 000003
【図２】
2007205187.tif 000004
【図３】
2007205187.tif 000005
【図４】
2007205187.tif 000006
【図５】
2007205187.tif 000007
【図６】
2007205187.tif 000008